(57)【要約】      （修正有）【課題】通気性ウエアの着用者がどのような姿勢をとっても排気口を塞ぐことがなく、体温により発生する熱と湿気を効率よく外部に排出し、しかも風雨の強い場合でも雨水が排気口から浸入しない、デザイン性に優れた通気性ウエアを提供する。【解決手段】内面にメッシュ状布帛が取り付けられた通気性ウエアであって、該通気性ウエアは、上下に分割された複数の布片からなり、該複数の布片のうち上段布片１２を下段布片１３に重ね合せ、該重ね合せ部にメッシュ状布帛を取り付けるとともに、メッシュ状布帛の両端を複数に分割された布片の両端と一体に縫製して、上段布片１２と下段布片１３との重ね合せ部にメッシュ状布帛を介した通気口２６を設け、かつ下段布片の上端部と該下段布片の上端部から上部の上段布片の内壁間にメッシュ状布帛を縫製して、下段布片と上段布片を接続するとともに、該通気口を上着またはズボンの前身頃及び後身頃に設けた。【選択図】図１
0003145344.tif 000002
【実用新案登録請求の範囲】
【請求項１】
内面にメッシュ状布帛が取り付けられた通気性ウエアであって、該通気性ウエアは、上下に分割された複数の布片からなり、該複数の布片のうち上段布片を下段布片に重ね合せ、該重ね合せ部にメッシュ状布帛を取り付けるとともに、メッシュ状布帛の両端を複数に分割された布片の両端と一体に縫製して、上段布片と下段布片との重ね合せ部にメッシュ状布帛を介した通気口を設け、かつ下段布片の上端部と該下段布片の上端部から上部の上段布片の内壁間にメッシュ状布帛を縫製して、下段布片と上段布片を接続するとともに、該通気口を上着またはズボンの前身頃及び後身頃に設けたことを特徴とする通気性ウエア。
【請求項２】
該通気性ウエアが衣服の上から着用する雨衣、各種作業衣、アノラック、ウインドブレーカである請求項１記載の通気性ウエア。
【考案の詳細な説明】
【技術分野】
【０００１】  本考案は、雨衣、各種作業衣、アノラック、ウインドブレーカーなど衣服の上から着用する通気性ウエア、特に衣服内部に蓄積する体熱と湿気を外部に効率よく放散することができる通気性ウエアに関するものである。本考案の通気性ウエアは防水加工されて生地自体の通気性が乏しいレインウエアなどに好適である。
【背景技術】
【０００２】  従来の通気性ウエアとして、防水ズボンに設けられた排気口の上面に覆いを下向きに取り付けて、排気口を下向きに開口させたものがある（例えば特許文献１参照）。また後身頃の上部にメッシュ状布帛を用いて縫製し、メッシュ状布帛およびメッシュ状布帛の下端につながる後身頃部分に背ヨークを重ね、下向きの開口部を残して背ヨークを後身頃に縫いつけてメッシュ状布帛と外気とを連通させ、重なり部分の開口部近傍に身巾方向に延びるスペーサを設けたものがある（例えば特許文献２参照）。さらに排気口での通気性を向上させるために覆いと布で形成される隙間に隙間を開放するばねを設置しているものがある（例えば特許文献３参照）。また本出願人が提案した、覆い布に多数の独立空気室を有するシートを使用したものがある（例えば特許文献４参照）。
【特許文献１】特開昭６０−７５６０４号公報（第２頁、図２）
【特許文献２】実用新案登録第３０４５９５４号公報（第６頁、図２）
【特許文献３】実開平１−８３０１０号公報（第２頁、図４）
【特許文献４】特開２００２−１４６６０４公報（第４頁、図６）
【０００３】  特許文献１では、排気口の上面に覆いを下向きに取り付けているだけのため、風雨が強い場合には覆いがめくれて、排気口から雨水が浸入する。また、ズボンと防水ズボンとの間で発生する湿気により、覆いが防水ズボンに密着して排気口が閉塞されて排気できなくなる。排気ができなくなるとズボンと防水ズボンとの間で発生する湿気で防水ズボンの内面が結露し、着用者に水漏れしたような錯覚を与え、またズボンに張り付いて防水ズボンが脱ぎ難いという問題がある。【０００４】  特許文献２には、重なり部分の開放口近傍に身巾方向に延びるスペーサを設けている。この身巾方向に延びるスペーサは雨水の内部への侵入を防止するのに適しているが、ウエアを着て前かがみの状態で動作する場合、ウエアの背中部分が引っ張られ、身巾方向に延びるスペーサと背ヨークが密着し、解放口が完全に塞がれて通気性が維持できなくなる問題がある。【０００５】  特許文献３は、覆いと布の間に開放用ばねを設けて常時隙間を設けているため、隙間から雨水が浸入するという問題がある。
また特許文献４は、排気口に設けた覆いに多数の独立気泡室を有するシートを用いているが、時間の経過とともに独立気泡室の空気が漏れて排気口が閉塞されるという問題がある。
【考案の開示】
【考案が解決しようとする課題】
【０００６】  本考案は、従来の通気性ウエアの上記問題点を徹底的に検討した結果、従来の通気性ウエアは開口部に取り付けた覆いに独立気泡室を有するシート等を設けて、覆いと布の密着による通気口の閉塞を防止すれば通気性が確保されることを前提にしているが、意外にもウエアを上下に分割された複数の布片から構成し、上段布片を下段布片に重ね合わせ、該重ね合せ部にメッシュ状布帛を介して上段布片と下段布片の密着を防止すれば通気口での通気性が確保され、しかも下段布片の上端部と該下段布片の上端部から上部の上段布片の内壁間にメッシュ状布帛を縫製し、下段布片と上段布片を接続一体化することによりウエアの内部と外部を確実に連通させることを見出し、更に検討した結果、本考案に到達したものである。
【課題を解決するための手段】
【０００７】  本考案の通気性ウエアは、内面にメッシュ状布帛が取り付けられた通気性ウエアであって、該通気性ウエアは、上下に分割された複数の布片からなり、該複数の布片のうち上段布片を下段布片に重ね合せ、該重ね合せ部にメッシュ状布帛を取り付けるとともに、メッシュ状布帛の両端を複数に分割された布片の両端と一体に縫製して、上段布片と下段布片との重ね合せ部にメッシュ状布帛を介した通気口を形成し、かつ下段布片の上端部と該下段布片の上端部から上部の上段布片の内壁間にメッシュ状布帛を介して接続するとともに、該通気口を上着またはズボンの前身頃及び後身頃に設けたことを特徴とする通気性ウエアである。【０００８】  さらに、本考案の通気性ウエアは、衣服の上から着用する雨衣、各種作業衣、アノラック、ウインドブレーカなどに好適な通気性ウエアである。
【考案の効果】
【０００９】  本考案の通気性ウエアは、上下段に分割された布片の上段布片の下部分を、下段布片の上部分の表面に重ね合せ、該重ね合せ部にメッシュ状布帛を取り付けて上下段の布片の密着を防止した通気口を設けたこと及び下段布片の上端部と該下段布片の上端部から上段布片の内壁をメッシュ状布帛を介して接続一体化したこと、更に該通気口を上着またはズボンの前身頃及び後身頃、好ましくは上着またはズボンの前身頃及び後身頃の少なくとも上下２ヶ所に設けたことにより、ベンチュレーション効果により下部通気口から外気がウエア内に導入され、ウエア内で発生する湿気が効率よく上部通気口から外部に排出されて、梅雨時の運動や作業時に着用してもむれが生じにくく発汗を遅らせることができる。さらに上下段に分割された布片の重ね合わせ部にメッシュ状布帛を縫製し、両端部を上下段に分割された布片の両端と一体に縫製しているため通気口からの雨滴の侵入が確実に防止でき、着用者がどのような姿勢をとっても通気口が塞がれることがない。また下段布片の上端部と該下段布片の上端部から上部の上段布片の内壁間にメッシュ状布帛を縫製して接続しているため通気性ウエアの型崩れが防止できる。
【考案を実施するための最良の形態】
【実施例】
【００１０】  次に本考案の通気性ウエアの一実施例を図面にて説明する。図１は本考案の通気性ウエア（上着）の前身頃の一例をモデル的に示す概略図であり、図２は後身頃の一例をモデル的に示す概略図である。また図３は本考案の通気性ウエア（ズボン）の一例をモデル的に示す概略図である。【００１１】  図１に示すように、上着の前身頃は右前身頃ａと右脇身頃ｂを縫製して右縫い合せラインＡを形成している。また左前身頃ａ’と左脇身頃ｂ’を縫製して左縫い合せラインＡ’を形成している。更に右脇身頃ｂ及び左脇身頃ｂ’と後身頃を縫製して右及び左縫い合せラインＢ，Ｂ’を形成している。なお、本考案の通気性ウエアは、縫付縫製に限らず、各種の縫製方法、例えば接着縫製などを用いて仕上げてもよい。【００１２】  左右の前身頃ａ，ａ’は夫々上中下段に３分割された３枚の布片１，２，３及び１’，２’，３’で構成されている。また左右の脇身頃ｂ，ｂ’は夫々３枚の布片４，５，６及び４’，５’，６’で構成されている。上中下段に３分割された３枚の布片は上段布片の下部分を、中段の布片の上部分の表面に重ね合せ、各重ね合わせ部の下端に下向きの通気口が設けられる。図１では左右の前身頃に上下部通気口２０，２１及び２０’，２１’が設けられ、左右の脇身頃に上下部通気口２２，２３及び２２’，２３’が設けられている。通気口は上着内の空気の対流が停滞して通気効果が減少するのを防ぐために、少なくとも上下に２ヶ所設けられる。上部と下部の２ヶ所の通気口は、上着の低い位置から外部の空気を吸い込み、高い位置から上着内の暖かく湿った空気を排出する効果を促進する作用がある。また図１の左右の前身頃ａ，ａ’に設けた上部通気口２０，２０’及び左右の脇身頃ｂ，ｂ’に設けた通気口２２，２３及び２２’，２３’は、上着内部の湿った空気の排出を容易にするため傾斜させている。運動や作業時にも効果的、かつ適度な排出効果を確保するには、通気口の位置が重要である。通気口の形状と位置及び大きさはウエアの種類（上着及びズボン、コート）、着用者の身体の大きさ、着用場所、外気温等により適宜決定される。３５は裾調節機能である。【００１３】  また図２に示す後身頃ｃも前身頃と同様に、上中下段に３分割された３枚の布片７，８，９で構成されている。上中下段に３分割された上段布片７の下部分を、下中の布片８の上部分の表面に重ね合せ、各重ね合わせ部に下向きの通気口２４，２５が設けられている。上着の背中の上部に湿気が溜まりやすいため、上部通気口２４を襟に近い部分に設けることが好ましい。また着用者が前かがみで作業するときに、上段の布片が引っ張られて通気口から雨が侵入しないように、重ね合せ部の長さは４〜５ｃｍに設定することが好ましい。３６は雨天時に頭に被るフードの収納部である。【００１４】  右外袖１０と右内袖１１を縫い合せラインＣ，Ｄで縫製した右袖ｄ及び左外袖１０’と左内袖１１’を縫い合せラインＣ’，Ｄ’で縫製した左袖ｄ’が前身頃ａ，ａ’と脇身頃ｂ，ｂ’、さらに後身頃ｃに縫製されて前袖縫い合せラインＥ，Ｅ’と後袖縫い合せラインＦ，Ｆ’が形成されている。また左右の袖ｄ，ｄ’に設けられる通気口は湿気が溜まりやすい脇の内側近く、すなわち内袖１��，１１’に設けられる。そのため左右の内袖１１，１１’は上下段に２分割された２枚の布片１２，１３及び１２’，１３’の上段布片１２，１２’の下部分を、下段の布片１３，１３’の上部分の表面に重ね合せ、重ね合わせ部に下向きの通気口２６，２６’を設けている。袖の場合は袖口が下部通気口となるため通気口は１ヶ所で良い。前袖縫い合せラインＥ，Ｅ’と後袖縫い合せラインＦ，Ｆ’には、日が暮れるのが早い雨天の日の安全性を確保するため、再帰反射素材のパイピングが施されている。【００１５】  ズボンでは、図３に示すようにズボンの右左の前身頃ｅ，ｅ’と右左の後身頃ｆ，ｆ’が内側縫い合せラインＧ，Ｇ’及び外側縫い合せラインＨ，Ｈ’で縫い合わされている。また前身頃ｅ，ｅ’は夫々上、中、下段に３分割された３枚の布片１０，１１，１２及び１０’，１１’，１２’で構成されている。ズボンでは腹部付近に通気口を形成すると、座った時にごわつくので、ベルト芯縫付ラインＩから斜めに上部通気口２７，２７’が設けられている。また下部通気口２８，２８’は、脚の動きをサポートしやすい膝下部に設けられている。【００１６】  図４は右脇身頃ｂのＡ−Ａ断面図であり、上部通気口２２と下部通気口２３の構造を示している。他の通気口も同じ構造である。右脇身頃ｂを構成する上段布片４の下部が中間段布片５の上部に重ね合され、重ね合せ部にメッシュ状布帛２９が取り付けられている。メッシュ状布帛は上段布片４または中間段布片５のどちらか一方に縫製されて下向きに開口する上部通気口２２が設けられている。下部通気口２３は中間段布片５の下部が下段布片６の上部に重ね合され、重ね合せ部にメッシュ状布帛２９が配置されて下部通気口２３が設けられている。３０は中間段布片５の上端部と上段布片４の内壁間に縫製して２つの布片を接続するメッシュ状布帛である。【００１６】  図５は上部通気口２２の模式図であり、上段布片４の下部が中間段布片５の上部に重ね合され、該重ね合せ部にメッシュ状布帛２９が取り付けられている。メッシュ状布帛はウエアに使用する布片と密着しないため、上下の布片が重なる部分で通気口が閉塞されることはない。また中間段布片５の上端部と上段布片４の内壁間に２つの布片を接続するメッシュ状布帛３０が縫製されている。
３１は通気性ウエア内部全体に設けられたメッシュ布帛である。通気性ウエアの着用時間が長くなると、通気口を設けていても内部が汗で蒸れて衣服に密着することがあるが、通気性ウエア内部全体に設けられたメッシュ布帛３１と中間段布片５の上端部と上段布片４の内壁間に縫製したメッシュ状布帛３０により衣服と通気性ウエアとの間に隙間が形成されて、内部でのべとつき等が防止される。また上着を着用する時に上段の布片と下段の布片の重ね合せ部に手指を差し込むことがなくスムーズに上着が着用できる。【００１７】  上段の布片４が中間段の布片５に重なり合う重ね合せ部の長さは、２〜１０ｃｍ、通常３〜５ｃｍである。また幅は隣接する縫い合せライン間の長さであり、通常１０〜４０ｃｍである。重ね合せ部の最大幅は後身頃の幅であり、着用者の体格により最大幅が決定される。通気口の幅が大きい場合は上段の布片４の下端部を適当な間隔を空けてメッシュ状布帛２９，３０を介して中間段の布片５に１〜２ｃｍ縫製する。図２の後身頃ｃに設けられた通気口２５では、例えば１０ｃｍ空けて２ｃｍ縫製するパターンを繰り返している。また上段布片をメッシュ状布帛を介して断続的に中間段布片に縫製しているため、上段の布片４がメッシュ状布帛と一緒に強風下でめくりあがったり、また着用者の種々の運動や作業によって通気口が開きすぎて雨や雪が上着内に侵入することがない。【００１７】  図６は図１に示す右脇身頃ｂのＢ−Ｂ断面図であり、上段布片４と中間段布片５及びメッシュ状布帛２９の両端が隣接する右前身頃ａの中間段布片２と後身頃ｃの下段布片９と縫−い合せラインＡ，Ｂで一体に縫い合わされる。本考案では、前身頃、脇身頃及び後身頃に設けられた上段布片と中間段布片、中間段布片と下段布片で形成される重ね合せ部の両端は隣接する縫い合せラインで一体に縫製される。また袖に設けられた上段布片と下段布片の両端は、縫い合せラインＣ，Ｄで縫製される。ズボンの場合も同様である。
前身頃・脇身頃・後身頃を縫製するとき及び外袖・内袖を縫製するときに、メッシュ状布帛が隣接する縫い合せラインで一緒に縫い合わされるため、重ね合せ部の両端部が確実に固定される。図７に本考案の通気性ウエアを着用した状態を示す正面図、図８は側面図、図９は背面図を示す。図７〜図９に示すように本考案の通気性ウエアは型崩れがなく、デザイン性も優れている。【００１８】  通気性ウエアに使用する布片は、レインウエアでは通気性及び浸水性のないナイロン、ポリエチレン、ポリプロピレン、それらを併用したもの等を用いることができる。さらに裏面をウレタンコーティング、ウレタンラミネートあるいはアクリルコーティングで防水加工を施したものを用いてもよい。また作業ウエアでは通常ポリエステル系繊維、ポリビニルアルコール繊維、綿・麻などの天然繊維、再生繊維等の任意の繊維が用いられる。【００１９】実施例及び比較例
図１及び図２に示す通気性ウエア（雨衣用上着）を実施例で使用する雨衣用上着とした。また比較例としては市販の通常の雨衣用上着を用いた。綿の肌着の上にポリエステル綿混のスポーツシャツを着た被試験者に上記雨衣用上着を着用させて、温度２５℃、湿度７０％、風速１ｍに設定した恒温恒湿装置内に設置したベルト歩行運動器で、５分間安静、２分間歩行、５分間安静、２分間歩行を繰り返させて、温湿度センサー（Ｔｈｅｒｍｏ  Ｒｅｃｏｒｄｅｒ「おんどとり  ＲＨ」ＴＲ−７２Ｓ）で温度と湿度の変化を測定した。湿度センサーは着用者の背中の下着の上、温度センサーはスポーツシャツの背中の上に貼着した。【００２０】試験に用いた雨衣用上着
比較例（通常の市販の雨衣）
表：ナイロン（ＰＶＣコーティング）
裏：ポリエステル（メッシュ布帛）
実施例（図１及び図２に示す雨衣）
表：ナイロン（ＰＶＣコーティング）
裏：ポリエステル（メッシュ布帛）
試験結果
不快指数は、着用者の背中の下着の上に貼着した湿度センサーで測定した湿度とスポーツシャツの背中の上に貼着した温度センサーで測定した温度から次の式により算出した。
不快指数＝０．８１Ｔ＋０．０１Ｕ（０．９９Ｔ−１４．３）＋４６．３
Ｔ：温度（℃）    Ｕ：湿度（％）
比較例と実施例における温度と湿度から不快指数を算出した結果を図７に示す。なお、試験時の外気の不快指数は７４であった
図７から明らかなように比較例では不快指数レベル６「不快」（Ｄ＝９３以上）になるが、実施例では不快指数レベル５「暑くてたまらない」（Ｄ＝８５以上）で緩和し、両者には明確な差が認められ、本考案の通気性ウエアは体温により発生する熱と湿気を効率良く外部に排出していることが明らかである。
【図面の簡単な説明】
【００２１】
【図１】  通気性ウエア（上着）の前身頃の一例をモデル的に示す概略図である。
【図２】  通気性ウエア（上着）の後身頃の一例をモデル的に示す概略図である。
【図３】  通気性ウエア（ズボン）の一例をモデル的に示す概略図である。
【図４】  図１に示す通気性ウエア（上着）のＡ−Ａ断面図である。
【図５】  上部通気口の構造を示す模式図である。
【図６】  図１に示す通気性ウエア（上着）のＢ−Ｂ断面図である。
【図７】  本考案の通気性ウエアの着用例を示す正面図である。
【図８】  本考案の通気性ウエアの着用例を示す側面図である。
【図９】  本考案の通気性ウエアの着用例を示す背面図である。
【図１０】  不快指数の経時変化を示すグラフである。
【００２２】ａ，ａ’                ・・・右、左前身頃
ｂ，ｂ’                ・・・右、左脇身頃
ｃ                      ・・・後身頃
ｄ，ｄ’                ・・・右、左袖
ｅ，ｅ’                ・・・ズボンの右、左身頃
Ａ，Ａ’                ・・・前身頃と脇身頃の右、左縫い合せライン
Ｂ，Ｂ’                ・・・脇身頃と後身頃の右、左縫い合せライン
Ｃ，Ｄ                  ・・・右袖を構成する外袖と内袖の縫い合せライン
Ｃ’，Ｄ’              ・・・左袖を構成する外袖と内袖の縫い合せライン
Ｅ，Ｅ’                ・・・右前身頃と右袖、左前身頃と左袖の縫い合せライン
Ｆ，Ｆ’                ・・・後身頃と右袖、左袖の縫い合せライン
Ｇ，Ｇ’                ・・・ズボンの内側縫い合せライン
Ｈ，Ｈ’                ・・・ズボンの外側縫い合せライン
Ｉ                      ・・・ベルト芯縫付ライン
１，１’                ・・・右、左前身頃の上段布片
２，２’                ・・・右、左前身頃の中段布片
３，３’                ・・・右、左前身頃の下段布片
４，４’                ・・・右、左脇身頃の上段布片
５，５’                ・・・右、左脇身頃の中段布片
６，６’                ・・・右、左脇身頃の下段布片
７                      ・・・後身頃の上段布片
８                      ・・・後身頃の中段布片
９                      ・・・後身頃の下段布片
１０，１０’            ・・・右、左の外袖
１１，１１’            ・・・右、左の内袖
１２，１２’            ・・・内袖の上段布片
１３，１３’            ・・・内袖の下段布片
２０．２０’，２１，２１’・・右、左前身頃に設けられた上下部通気口
２２，２２’，２３，２３’・・右、左脇身頃に設けられた上下部通気口
２４，２５              ・・・後身頃に設けられた上下部通気口
２６，２６’            ・・・右、左の袖に設けられた通気口
２７，２７’            ・・・ズボンの右、左に設けられた上部通気口
２８，２８’            ・・・ズボンの右、左に設けられた下部通気口
２９，３０              ・・・メッシュ状布帛
３１                    ・・・メッシュ布帛
【図１】
0003145344.tif 000003
【図２】
0003145344.tif 000004
【図３】
0003145344.tif 000005
【図４】
0003145344.tif 000006
【図５】
0003145344.tif 000007
【図６】
0003145344.tif 000008
【図１０】
0003145344.tif 000009
【手続補正書】
【提出日】平成20年8月1日(2008.8.1)
【手続補正３】
【補正対象書類名】図面
【補正対象項目名】全図
【補正方法】変更
【補正の内容】
【図１】
0003145344.tif 000010
【図２】
0003145344.tif 000011
【図３】
0003145344.tif 000012
【図４】
0003145344.tif 000013
【図５】
0003145344.tif 000014
【図６】
0003145344.tif 000015
【図７】
0003145344.tif 000016
【図８】
0003145344.tif 000017
【図９】
0003145344.tif 000018
【図１０】
0003145344.tif 000019